【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
被写体を撮像して画像データを取得する撮像手段と、
画像データ内の顔を検出し、この検出された顔の表情を識別して、複数のグループに分類される表情種別のいずれに該当するかを判定する判定手段と、
ユーザの操作に応じて任意のテキストデータを入力する手動入力手段と、
前記判定手段により判定可能な複数の表情種別の各々に対して、前記入力手段により予め入力されたテキストデータを対応付けて記憶する第１の記憶手段と、
テキストデータの入力が必要なときに前記撮像手段により画像データが取得されると、この取得された画像データを対象として前記判定手段による表情種別の判定を行い、この判定された表情種別に対応して前記第１の記憶手段に記憶されているテキストデータを自動的に入力する自動入力手段と、
を備えたことを特徴とする電子データ編集装置
【請求項２】
前記撮像手段による画像データの取得と、前記手動入力手段によるテキストデータの入力を行い、この取得された画像データを対象として前記判定手段により判定された表情種別と、前記入力されたテキストデータとを対応付けて前記第１の記憶手段に追加登録する第１の登録手段と、
を更に備えたことを特徴とする請求項１に記載の電子データ編集装置。
【請求項３】
複数の表情種別の各々に対して、顔の画像データまたは顔の特徴データを対応付けて記憶する第２の記憶手段を更に備え、
前記判定手段は、画像データ内より検出された顔の画像データまたは顔の特徴データを、前記第２の記憶手段に記憶されている顔の画像データまたは顔の特徴データと比較し、最も合致度の高い顔の画像データまたは顔の特徴データに対応して記憶されている表情種別を判定結果とすることを特徴とする請求項２に記載の電子データ編集装置。
【請求項４】
前記表情種別を表す情報を入力する表情種別入力手段と、
前記撮像手段による画像データの取得と、前記表情種別入力手段による表情種別を表す情報の入力を行い、この取得された画像データ内より検出された顔の画像データまたは顔の特徴データと、前記入力された表情種別を表す情報とを対応付けて前記第２の記憶手段に追加登録する第２の登録手段と、
を更に備えたことを特徴とする請求項３に記載の電子データ編集装置。
【請求項５】
前記第２の記憶手段は、複数の個人の各々に対応させて、前記表情種別と顔の画像データまたは顔の特徴データとを対応付けて記憶し、
前記第２の登録手段は、前記撮像手段による画像データの取得と、前記表情種別入力手段による表情種別を表す情報の入力に加え、個人を識別する情報の入力を行い、この個人を識別する情報と、前記顔の画像データまたは顔の特徴データと、前記表情種別を表す情報とを対応付けて前記第２の記憶手段に追加登録し、
前記判定手段は、前記第２の記憶手段の記憶情報に基づいて、個人毎に顔の表情を識別することを特徴とする請求項４に記載の電子データ編集装置。
【請求項６】
前記自動入力手段は、前記撮像手段による画像データの取得に応じて前記第１の記憶手段から読み出されたテキストデータを仮入力し、確定操作が行われるまでの間、前記撮像手段による新たな画像データの取得と、新たに取得された画像データに対応するテキストデータの読み出しを繰り返し実行することを特徴とする請求項５に記載の電子データ編集装置。
【請求項７】
被写体を撮像して画像データを取得する撮像手段と、ユーザの操作に応じて任意のテキストデータを入力する手動入力手段と、を備えた電子データ編集装置の制御方法であって、
前記電子データ編集装置のコンピュータに、
画像データ内の顔を検出し、この検出された顔の表情を識別して、複数のグループに分類される表情種別のいずれに該当するかを判定する判定処理と、
前記判定処理により判定可能な複数の表情種別の各々に対して、前記入力手段により予め入力されたテキストデータを対応付けて記憶する記憶処理と、
テキストデータの入力が必要なときに前記撮像手段により画像データが取得されると、この取得された画像データを対象として前記判定処理による表情種別の判定を行い、この判定された表情種別に対応して前記記憶処理により記憶されたテキストデータを自動的に入力する自動入力処理と、
を実行させることを特徴とする電子データ編集方法。
【請求項８】
電子データ編集装置のコンピュータを、
画像データ内の顔を検出し、この検出された顔の表情を識別して、複数のグループに分類される表情種別のいずれに該当するかを判定する判定手段と、
ユーザの操作に応じて任意のテキストデータを入力する手動入力手段と、
前記判定手段により判定可能な複数の表情種別の各々に対して、前記入力手段により予め入力されたテキストデータを対応付けて記憶する第１の記憶手段と、
テキストデータの入力が必要なときに前記撮像手段により画像データが取得されると、この取得された画像データを対象として前記判定手段による表情種別の判定を行い、この判定された表情種別に対応して前記第１の記憶手段に記憶されているテキストデータを自動的に入力する自動入力手段
として機能させることを特徴とするプログラム。
【請求項９】
電子メールの送信機能を備えた電子データ編集装置であって、
画像データ内に検出されるヒトの顔の表情を識別して、複数のグループに分類される表情種別のいずれに該当するかを判定する判定手段と、
前記判定手段により判定された表情種別に基づいて、電子メールに挿入可能な挿入データを選択する選択手段と、
送信対象となる電子メールに画像データが添付されているか否かを判定し、画像データが添付されていないと判定された場合は、そのまま電子メールを送信し、画像データが添付されていると判定された場合は、更に、この画像データ内に顔が含まれているか否かを判定し、顔が含まれていないと判定された場合は、そのまま電子メールを送信し、顔が含まれていると判定された場合は、この画像データを対象として前記判定手段による表情種別の判定を行い、この判定された表情種別に基づいて前記選択手段により選択される挿入データを前記送信対象となる電子メールに挿入して電子メールを送信する送信制御手段と、
を備えたことを特徴とする電子データ編集装置。
【請求項１０】
感情マークの自動挿入モードと感情文字の自動挿入モードを選択的に設定するモード設定手段を更に備え、
前記選択手段は、前記モード設定手段により感情マークの自動挿入モードが設定されている場合には、前記判定手段により判定された表情種別に基づいて感情を表す画像データである感情マークを選択し、前記モード設定手段により感情文字の自動挿入モードが設定されている場合には、前記判定手段により判定された表情種別に基づいて感情を表す文字である感情文字を選択し、
前記送信制御手段は、前記モード設定手段により感情マークの自動挿入モードが設定されている場合には、前記選択手段により選択された感情マークを電子メールに添付する画像データの一部に合成して電子メールを送信し、前記モード設定手段により感情文字の自動挿入モードが設定されている場合には、前記選択手段により選択された感情文字を電子メールの件名または本文に挿入して電子メールを送信することを特徴とする請求項９に記載の電子データ編集装置。
【請求項１１】
電子メールの送信機能を備えた電子データ編集装置の制御方法であって、
前記電子データ編集装置のコンピュータに、
画像データ内に検出されるヒトの顔の表情を識別して、複数のグループに分類される表情種別のいずれに該当するかを判定する判定処理と、
前記判定処理により判定された表情種別に基づいて、電子メールに挿入可能な挿入データを選択する選択処理と、
送信対象となる電子メールに画像データが添付されているか否かを判定し、画像データが添付されていないと判定された場合は、そのまま電子メールを送信し、画像データが添付されていると判定された場合は、更に、この画像データ内に顔が含まれているか否かを判定し、顔が含まれていないと判定された場合は、そのまま電子メールを送信し、顔が含まれていると判定された場合は、この画像データを対象として前記判定処理による表情種別の判定を行い、この判定された表情種別に基づいて前記選択処理により選択される挿入データを前記送信対象となる電子メールに挿入して電子メールを送信する送信制御処理と、
を実行させることを特徴とする電子データ編集方法。
【請求項１２】
電子メールの送信機能を備えた電子データ編集装置のコンピュータを、
画像データ内に検出されるヒトの顔の表情を識別して、複数のグループに分類される表情種別のいずれに該当するかを判定する判定手段と、
前記判定手段により判定された表情種別に基づいて、電子メールに挿入可能な挿入データを選択する選択手段と、
送信対象となる電子メールに画像データが添付されているか否かを判定し、画像データが添付されていないと判定された場合は、そのまま電子メールを送信し、画像データが添付されていると判定された場合は、更に、この画像データ内に顔が含まれているか否かを判定し、顔が含まれていないと判定された場合は、そのまま電子メールを送信し、顔が含まれていると判定された場合は、この画像データを対象として前記判定手段による表情種別の判定を行い、この判定された表情種別に基づいて前記選択手段により選択される挿入データを前記送信対象となる電子メールに挿入して電子メールを送信する送信制御手段
として機能させることを特徴とするプログラム。
【手続補正２】
【補正対象書類名】明細書
【補正対象項目名】０００８
【補正方法】変更
【補正の内容】
【０００８】
請求項１記載の発明は、被写体を撮像して画像データを取得する撮像手段と、画像データ内の顔を検出し、この検出された顔の表情を識別して、複数のグループに分類される表情種別のいずれに該当するかを判定する判定手段と、ユーザの操作に応じて任意のテキストデータを入力する手動入力手段と、前記判定手段により判定可能な複数の表情種別の各々に対して、前記入力手段により予め入力されたテキストデータを対応付けて記憶する第１の記憶手段と、テキストデータの入力が必要なときに前記撮像手段により画像データが取得されると、この取得された画像データを対象として前記判定手段による表情種別の判定を行い、この判定された表情種別に対応して前記第１の記憶手段に記憶されているテキストデータを自動的に入力する自動入力手段と、を備えたことを特徴とする電子データ編集装置である。
請求項２記載の発明は、更に、前記撮像手段による画像データの取得と、前記手動入力手段によるテキストデータの入力を行い、この取得された画像データを対象として前記判定手段により判定された表情種別と、前記入力されたテキストデータとを対応付けて前記第１の記憶手段に追加登録する第１の登録手段と、を更に備えたことを特徴とする。
請求項３記載の発明は、更に、複数の表情種別の各々に対して、顔の画像データまたは顔の特徴データを対応付けて記憶する第２の記憶手段を更に備え、前記判定手段は、画像データ内より検出された顔の画像データまたは顔の特徴データを、前記第２の記憶手段に記憶されている顔の画像データまたは顔の特徴データと比較し、最も合致度の高い顔の画像データまたは顔の特徴データに対応して記憶されている表情種別を判定結果とすることを特徴とする。
請求項４記載の発明は、更に、前記表情種別を表す情報を入力する表情種別入力手段と、前記撮像手段による画像データの取得と、前記表情種別入力手段による表情種別を表す情報の入力を行い、この取得された画像データ内より検出された顔の画像データまたは顔の特徴データと、前記入力された表情種別を表す情報とを対応付けて前記第２の記憶手段に追加登録する第２の登録手段と、を更に備えたことを特徴とする。
請求項５記載の発明は、更に、前記第２の記憶手段は、複数の個人の各々に対応させて、前記表情種別と顔の画像データまたは顔の特徴データとを対応付けて記憶し、前記第２の登録手段は、前記撮像手段による画像データの取得と、前記表情種別入力手段による表情種別を表す情報の入力に加え、個人を識別する情報の入力を行い、この個人を識別する情報と、前記顔の画像データまたは顔の特徴データと、前記表情種別を表す情報とを対応付けて前記第２の記憶手段に追加登録し、前記判定手段は、前記第２の記憶手段の記憶情報に基づいて、個人毎に顔の表情を識別することを特徴とする。
請求項６記載の発明は、更に、前記自動入力手段は、前記撮像手段による画像データの取得に応じて前記第１の記憶手段から読み出されたテキストデータを仮入力し、確定操作が行われるまでの間、前記撮像手段による新たな画像データの取得と、新たに取得された画像データに対応するテキストデータの読み出しを繰り返し実行することを特徴とする。
請求項７記載の発明は、被写体を撮像して画像データを取得する撮像手段と、ユーザの操作に応じて任意のテキストデータを入力する手動入力手段と、を備えた電子データ編集装置の制御方法であって、前記電子データ編集装置のコンピュータに、画像データ内の顔を検出し、この検出された顔の表情を識別して、複数のグループに分類される表情種別のいずれに該当するかを判定する判定処理と、前記判定処理により判定可能な複数の表情種別の各々に対して、前記入力手段により予め入力されたテキストデータを対応付けて記憶する記憶処理と、テキストデータの入力が必要なときに前記撮像手段により画像データが取得されると、この取得された画像データを対象として前記判定処理による表情種別の判定を行い、この判定された表情種別に対応して前記記憶処理により記憶されたテキストデータを自動的に入力する自動入力処理と、を実行させることを特徴とする電子データ編集方法である。
請求項８記載の発明は、電子データ編集装置のコンピュータを、画像データ内の顔を検出し、この検出された顔の表情を識別して、複数のグループに分類される表情種別のいずれに該当するかを判定する判定手段と、ユーザの操作に応じて任意のテキストデータを入力する手動入力手段と、前記判定手段により判定可能な複数の表情種別の各々に対して、前記入力手段により予め入力されたテキストデータを対応付けて記憶する第１の記憶手段と、テキストデータの入力が必要なときに前記撮像手段により画像データが取得されると、この取得された画像データを対象として前記判定手段による表情種別の判定を行い、この判定された表情種別に対応して前記第１の記憶手段に記憶されているテキストデータを自動的に入力する自動入力手段として機能させることを特徴とするプログラムである。
請求項９記載の発明は、電子メールの送信機能を備えた電子データ編集装置であって、画像データ内に検出されるヒトの顔の表情を識別して、複数のグループに分類される表情種別のいずれに該当するかを判定する判定手段と、前記判定手段により判定された表情種別に基づいて、電子メールに挿入可能な挿入データを選択する選択手段と、送信対象となる電子メールに画像データが添付されているか否かを判定し、画像データが添付されていないと判定された場合は、そのまま電子メールを送信し、画像データが添付されていると判定された場合は、更に、この画像データ内に顔が含まれているか否かを判定し、顔が含まれていないと判定された場合は、そのまま電子メールを送信し、顔が含まれていると判定された場合は、この画像データを対象として前記判定手段による表情種別の判定を行い、この判定された表情種別に基づいて前記選択手段により選択される挿入データを前記送信対象となる電子メールに挿入して電子メールを送信する送信制御手段と、を備えたことを特徴とする電子データ編集装置である。
請求項１０記載の発明は、更に、感情マークの自動挿入モードと感情文字の自動挿入モードを選択的に設定するモード設定手段を更に備え、前記選択手段は、前記モード設定手段により感情マークの自動挿入モードが設定されている場合には、前記判定手段により判定された表情種別に基づいて感情を表す画像データである感情マークを選択し、前記モード設定手段により感情文字の自動挿入モードが設定されている場合には、前記判定手段により判定された表情種別に基づいて感情を表す文字である感情文字を選択し、前記送信制御手段は、前記モード設定手段により感情マークの自動挿入モードが設定されている場合には、前記選択手段により選択された感情マークを電子メールに添付する画像データの一部に合成して電子メールを送信し、前記モード設定手段により感情文字の自動挿入モードが設定されている場合には、前記選択手段により選択された感情文字を電子メールの件名または本文に挿入して電子メールを送信することを特徴とする。
請求項１１記載の発明は、電子メールの送信機能を備えた電子データ編集装置の制御方法であって、前記電子データ編集装置のコンピュータに、画像データ内に検出されるヒトの顔の表情を識別して、複数のグループに分類される表情種別のいずれに該当するかを判定する判定処理と、前記判定処理により判定された表情種別に基づいて、電子メールに挿入可能な挿入データを選択する選択処理と、送信対象となる電子メールに画像データが添付されているか否かを判定し、画像データが添付されていないと判定された場合は、そのまま電子メールを送信し、画像データが添付されていると判定された場合は、更に、この画像データ内に顔が含まれているか否かを判定し、顔が含まれていないと判定された場合は、そのまま電子メールを送信し、顔が含まれていると判定された場合は、この画像データを対象として前記判定処理による表情種別の判定を行い、この判定された表情種別に基づいて前記選択処理により選択される挿入データを前記送信対象となる電子メールに挿入して電子メールを送信する送信制御処理と、を実行させることを特徴とする電子データ編集方法である。
請求項１２記載の発明は、電子メールの送信機能を備えた電子データ編集装置のコンピュータを、画像データ内に検出されるヒトの顔の表情を識別して、複数のグループに分類される表情種別のいずれに該当するかを判定する判定手段と、前記判定手段により判定された表情種別に基づいて、電子メールに挿入可能な挿入データを選択する選択手段と、送信対象となる電子メールに画像データが添付されているか否かを判定し、画像データが添付されていないと判定された場合は、そのまま電子メールを送信し、画像データが添付されていると判定された場合は、更に、この画像データ内に顔が含まれているか否かを判定し、顔が含まれていないと判定された場合は、そのまま電子メールを送信し、顔が含まれていると判定された場合は、この画像データを対象として前記判定手段による表情種別の判定を行い、この判定された表情種別に基づいて前記選択手段により選択される挿入データを前記送信対象となる電子メールに挿入して電子メールを送信する送信制御手段として機能させることを特徴とするプログラムである。